(57)【要約】【課題】額縁形状の機器外観部品の各コーナー部の機械的強度を十分に高くすることができ、表示パネルと機器外観部品との取付強度を十分に高くすることができるようにする。【解決手段】枠状のトップシャーシ２０の各コーナー部は、欠損部２３とし、枠状のミドルシャーシ３０の各コーナー部は、正面側から見て凹部として、その凹部の底に、取付穴３３ａが形成された取付板部３３を形成する。ミドルシャーシ３０の背面側の板状のボトムシャーシの各コーナー部にも、取付穴を形成する。額縁形状のベズルの各コーナー部の背面側には、ネジ受け部を形成する。ボトムシャーシの取付穴、ミドルシャーシ３０の取付穴３３ａおよびベズルのネジ受け部にネジを挿入締結して、ベズルを液晶パネル１０に取り付ける。画面左側、画面右側および画面下側も、同様の取付構造とする。【選択図】図３
2008116523.tif 000002
【特許請求の範囲】
【請求項１】
前面板部と側板部とが一体に形成された枠状の機器外観部品と、この機器外観部品の内側に配された表示パネルとを備え、
前記機器外観部品の前記前面板部には、各コーナー部の背面側に、それぞれネジ受け部が形成され、
前記表示パネルの各コーナー部は、それぞれ正面側から見て凹部とされて、その凹部の底の部分に取付穴が形成され、
前記表示パネルおよび前記機器外観部品の各コーナー部において、それぞれ前記取付穴および前記ネジ受け部にネジが挿入締結されていることを特徴とする表示機器。
【請求項２】
請求項１の表示機器において、
前記表示パネルは、表示パネル本体のほかに、正面側から順に、それぞれ枠状のトップシャーシおよびミドルシャーシ、および板状のボトムシャーシが配置されたものであり、
前記トップシャーシの各コーナー部は、それぞれ欠損部とされ、前記ミドルシャーシの各コーナー部は、それぞれ前記凹部として、それぞれ対応する前記欠損部に露呈していることを特徴とする表示機器。
【請求項３】
請求項１の表示機器において、
前記表示パネルが液晶パネルであることを特徴とする表示機器。
【請求項４】
前面板部と側板部とが一体に形成された枠状の機器外観部品と、この機器外観部品の内側に配された表示パネルとを備え、
前記機器外観部品の前記前面板部には、各コーナー部および画面両側の部分の背面側に、それぞれネジ受け部が形成され、
前記表示パネルの各コーナー部および画面両側の部分は、それぞれ正面側から見て凹部とされて、その凹部の底の部分に取付穴が形成され、
前記表示パネルおよび前記機器外観部品の各コーナー部および画面両側の部分において、それぞれ前記取付穴および前記ネジ受け部にネジが挿入締結されていることを特徴とする表示機器。
【請求項５】
請求項４の表示機器において、
前記表示パネルは、表示パネル本体のほかに、正面側から順に、それぞれ枠状のトップシャーシおよびミドルシャーシ、および板状のボトムシャーシが配置されたものであり、
前記トップシャーシの各コーナー部および画面両側の部分は、それぞれ欠損部とされ、前記ミドルシャーシの各コーナー部および画面両側の部分は、それぞれ前記凹部として、それぞれ対応する前記欠損部に露呈していることを特徴とする表示機器。
【請求項６】
請求項４の表示機器において、
前記表示パネルが液晶パネルであることを特徴とする表示機器。
【請求項７】
前面板部と側板部とが一体に形成された枠状の機器外観部品の内側に取り付けられる表示パネルであって、
各コーナー部が、それぞれ正面側から見て凹部とされて、その凹部の底の部分に取付穴が形成されていることを特徴とする表示パネル。
【請求項８】
請求項７の表示パネルにおいて、
当該の表示パネルは、表示パネル本体のほかに、正面側から順に、それぞれ枠状のトップシャーシおよびミドルシャーシ、および板状のボトムシャーシが配置されたものであり、
前記トップシャーシの各コーナー部は、それぞれ欠損部とされ、前記ミドルシャーシの各コーナー部は、それぞれ前記凹部として、それぞれ対応する前記欠損部に露呈していることを特徴とする表示パネル。
【請求項９】
前面板部と側板部とが一体に形成された枠状の機器外観部品の内側に取り付けられる表示パネルであって、
各コーナー部および画面両側の部分が、それぞれ正面側から見て凹部とされて、その凹部の底の部分に取付穴が形成されていることを特徴とする表示パネル。
【請求項１０】
請求項９の表示パネルにおいて、
当該の表示パネルは、表示パネル本体のほかに、正面側から順に、それぞれ枠状のトップシャーシおよびミドルシャーシ、および板状のボトムシャーシが配置されたものであり、
前記トップシャーシの各コーナー部および画面両側の部分は、それぞれ欠損部とされ、前記ミドルシャーシの各コーナー部および画面両側の部分は、それぞれ前記凹部として、それぞれ対応する前記欠損部に露呈していることを特徴とする表示パネル。
【発明の詳細な説明】
【技術分野】
【０００１】
この発明は、液晶パネルなどの表示パネルを用いたＴＶ（テレビジョン）受信機などの表示機器、および液晶パネルなどの表示パネルに関する。
【背景技術】
【０００２】
液晶パネル（液晶パネルデバイス）を用いたＴＶ受信機では、例えば、液晶パネルを、バンド状またはアーム状の取付部材によって、フロントカバー、フロントマスクまたはベズルなどと呼ばれる額縁形状の機器外観部品に取り付ける。
【０００３】
具体的に、特許文献１（特開２００３−１５００７６号公報）には、額縁形状のフロントカバーの内側に液晶パネルを配置し、フロントカバーの短手方向（画面縦方向）に跨って設けられる左右および中央のステーによって液晶パネルの周辺縁部を押えることによって、液晶パネルをフロントカバーに固定保持することが示されている。
【０００４】
上に挙げた先行技術文献は、以下のとおりである。
【特許文献１】特開２００３−１５００７６号公報
【発明の開示】
【発明が解決しようとする課題】
【０００５】
特許文献１では、上記のように構成することによって、フロントカバーには液晶パネルをネジ止めするためのカバー厚さ方向に長いネジ受け部を必要としないとされている。
【０００６】
しかし、上記のようにバンド状またはアーム状の取付部材によって液晶パネルを機器外観部品に固定保持するとともに、液晶パネルおよび機器外観部品の各コーナー部において液晶パネルを機器外観部品にネジ止めすれば、より安定かつ強固に液晶パネルを機器外観部品に固定保持することができる。
【０００７】
また、上記のようにバンド状またはアーム状の取付部材によって液晶パネルを機器外観部品に固定保持する替わりに、液晶パネルおよび機器外観部品の各コーナー部において液晶パネルを機器外観部品にネジ止めすることによって、液晶パネルを機器外観部品に固定保持することも考えられる。
【０００８】
図１３〜図１７に、このように液晶パネルおよび機器外観部品の各コーナー部において液晶パネルを機器外観部品にネジ止めする場合の一例を示す。
【０００９】
図１３は、ＴＶ受信機の正面側から見た外観を示し、図１４は、機器外観部品であるフロントマスクの右上コーナー部を、背面側から見た図であり、図１５は、液晶パネルの右上コーナー部を、正面側から見た図であり、図１６は、フロントマスクを液晶パネルに取り付けた状態の、図１４および図１５のＸ−Ｘ線上の断面構造を示し、図１７は、リアカバーを含むＴＶ受信機全体の、図１３のＹ−Ｙ線上の断面構造を示す。
【００１０】
図１３に示すように、この例のＴＶ受信機５は、フロントマスク１５０の内側に液晶パネル１１０を取り付ける。
【００１１】
図１４に示すように、フロントマスク１５０は、モールド成形によって、前面板部１５１と側板部１５２とを一体に形成し、前面板部１５１の背面側には、各コーナー部に、ネジ受け部（取付用ボス）１５３を形成する。
【００１２】
さらに、前面板部１５１の背面側には、補強用のリブとして、ネジ受け部１５３の側方にリブ１５４ａを形成し、側板部１５２の近傍に側板部１５２に沿ってリブ１５４ｂを形成するとともに、リブ１５４ｂの内側側方に、ネジ受け部１５３に対して不連続にリブ１５４ｃを形成する。
【００１３】
図１５、図１６および図１７に示すように、液晶パネル１１０は、枠状のトップシャーシ１２０、液晶パネル本体１１１、枠状のミドルシャーシ１３０、バックライトユニット１１５、および板状のボトムシャーシ１４０によって構成し、トップシャーシ１２０の内側に液晶パネル本体１１１およびミドルシャーシ１３０を配置し、液晶パネル本体１１１の背面側にバックライトユニット１１５およびボトムシャーシ１４０を配置して、後述のように一体に締結する。
【００１４】
トップシャーシ１２０は、板金などによって形成し、ミドルシャーシ１３０は、モールド成形品によって形成し、ボトムシャーシ１４０は、板金などによって形成する。液晶パネル本体１１１は、一対のガラス基板間に液晶を注入封止し、内部に液晶駆動回路を形成したものであり、バックライトユニット１１５は、バックライト用の蛍光管と、これからの光を液晶パネル本体１１１に均一に照射するための光学手段とからなるものである。
【００１５】
図１５に示すように、トップシャーシ１２０は、前面板部１２１と側板部１２２とを一体に形成し、前面板部１２１の各コーナー部には、図１４に示したフロントマスク１５０のネジ受け部１５３およびリブ１５４ａが挿入される穴１２３を形成する。
【００１６】
さらに、図１５および図１６に示すように、ミドルシャーシ１３０の各コーナー部には、背面側に突出させて、フロントマスク１５０のネジ受け部１５３およびリブ１５４ａが挿入される、トップシャーシ１２０の穴１２３と通じる筒状部１３３を形成し、図１６に示すように、この筒状部１３３の底部には、取付穴１３３ａを形成し、ボトムシャーシ１４０のコーナー部１４３には、この取付穴１３３ａと通じる取付穴１４３ａを形成する。
【００１７】
図１５に示す取付穴１２９は、上記のようにトップシャーシ１２０の内側に液晶パネル本体１１１およびミドルシャーシ１３０を配置し、液晶パネル本体１１１の背面側にバックライトユニット１１５およびボトムシャーシ１４０を配置した状態で、トップシャーシ１２０、ミドルシャーシ１３０およびボトムシャーシ１４０を締結し、液晶パネル１１０を一体化するネジが挿入される穴である。この取付穴１２９は、画面左側、画面右側、画面上側および画面下側の周辺部に、それぞれ複数形成する。
【００１８】
そして、図１４および図１６に示すように、フロントマスク１５０のネジ受け部１５３およびリブ１５４ａを、上記のように一体化された液晶パネル１１０の、トップシャーシ１２０の穴１２３およびミドルシャーシ１３０の筒状部１３３に挿入し、背面側からネジを、ボトムシャーシ１４０の取付穴１４３ａ、ミドルシャーシ１３０の取付穴１３３ａ、およびフロントマスク１５０のネジ受け部１５３に挿入締結して、フロントマスク１５０を液晶パネル１１０に取り付ける。
【００１９】
また、画面左側および画面右側の周辺部では、図１７に示すように、液晶パネル１１０の外側において、フロントマスク１５０の前面板部１５１の背面側にネジ受け部（取付用ボス）１５５を形成し、リアカバー１７０に凹部（正面側から見れば凸部）１７５を形成し、この凹部１７５の底部に取付穴１７５ａを形成し、リアカバー１７０の左右の端部に係合部１７９を形成する。
【００２０】
そして、リアカバー１７０の凹部１７５の底部をフロントマスク１５０のネジ受け部１５５に当て、係合部１７９をフロントマスク１５０の側板部１５２の内側に係合させた状態で、背面側からネジを、リアカバー１７０の取付穴１７５ａおよびフロントマスク１５０のネジ受け部１５５に挿入締結して、液晶パネル１１０の外側でフロントマスク１５０を固定保持する。
【００２１】
しかしながら、以上の構成では、図１４、図１５および図１６に示すように、トップシャーシ１２０、ミドルシャーシ１３０およびボトムシャーシ１４０を含む液晶パネル１１０の、トップシャーシ１２０に穴１２３が形成され、かつミドルシャーシ１３０に筒状部１３３が形成された各コーナー部を、フロントマスク１５０のネジ受け部１５３の部分に、フロントマスク１５０の前面板部１５１に近接する位置まで挿入するため、図１４および図１６に示したように、補強用のリブ１５４ｃを、ネジ受け部１５３からリブ１５４ｂまでに渡って連続した背の高いものとして形成することができない。
【００２２】
そのため、フロントマスク１５０のネジ受け部１５３の周囲部分の機械的強度を十分に高くすることができず、各コーナー部における液晶パネル１１０とフロントマスク１５０との取付強度を十分に高くすることができない。
【００２３】
また、図１７に示すように、画面左側および画面右側の周辺部では、液晶パネル１１０の外側でフロントマスク１５０を固定保持するため、フロントマスク１５０の横幅（画面左側の部分および画面右側の部分の横幅）Ｗ４を、あまり縮小することができない。
【００２４】
すなわち、画面横方向における、フロントマスク１５０の内側端縁１５１ｅと液晶パネル本体１１１の外側端縁との距離をＷ１、フロントマスク１５０の内側端縁１５１ｅと液晶パネル１１０の外側端縁（トップシャーシ１２０の外側端縁）との距離をＷ２とすると、フロントマスク１５０の横幅Ｗ４が距離Ｗ２に比べて、かなり大きくなって、ＴＶ受信機５の横方向の外形寸法（図１３のように正面側から見たＴＶ受信機５全体の横幅）を小さくすることができず、ＴＶ受信機５の製造や運搬の過程での取り扱い上、好ましくないとともに、ＴＶ受信機５のデザイン上も、フロントマスク１５０の狭額縁化を実現することができない。
【００２５】
そこで、この発明は、第１に、液晶パネルなどの表示パネルの各コーナー部において額縁形状の機器外観部品を表示パネルに取り付ける場合に、機器外観部品の各コーナー部の機械的強度を十分に高くすることができ、表示パネルと機器外観部品との取付強度を十分に高くすることができるようにしたものである。
【００２６】
さらに、この発明は、第２に、上記の第１に加えて、額縁形状の機器外観部品の画面両側の部分の幅を縮小することができ、同じ画面サイズおよび同じパネルサイズでも、ＴＶ受信機などの表示機器の外形寸法を小さくすることができ、表示機器の製造や運搬の過程での取り扱い上、好ましくなるとともに、表示機器のデザイン上も、機器外観部品の狭額縁化を実現することができるようにしたものである。
【課題を解決するための手段】
【００２７】
第１の発明の表示機器は、
前面板部と側板部とが一体に形成された枠状の機器外観部品と、この機器外観部品の内側に配された表示パネルとを備え、
前記機器外観部品の前記前面板部には、各コーナー部の背面側に、それぞれネジ受け部が形成され、
前記表示パネルの各コーナー部は、それぞれ正面側から見て凹部とされて、その凹部の底の部分に取付穴が形成され、
前記表示パネルおよび前記機器外観部品の各コーナー部において、それぞれ前記取付穴および前記ネジ受け部にネジが挿入締結されていることを特徴とする。
【００２８】
第２の発明の表示機器は、
前面板部と側板部とが一体に形成された枠状の機器外観部品と、この機器外観部品の内側に配された表示パネルとを備え、
前記機器外観部品の前記前面板部には、各コーナー部および画面両側の部分の背面側に、それぞれネジ受け部が形成され、
前記表示パネルの各コーナー部および画面両側の部分は、それぞれ正面側から見て凹部とされて、その凹部の底の部分に取付穴が形成され、
前記表示パネルおよび前記機器外観部品の各コーナー部および画面両側の部分において、それぞれ前記取付穴および前記ネジ受け部にネジが挿入締結されていることを特徴とする。
【００２９】
上記の第１の発明の表示機器では、機器外観部品の前面板部の背面側には、ネジ受け部から側板部までに渡って補強用のリブを連続的に形成することができる。
【００３０】
そのため、機器外観部品の各コーナー部の機械的強度を十分に高くすることができ、表示パネルと機器外観部品との取付強度を十分に高くすることができる。
【００３１】
上記の第２の発明の表示機器では、さらに、画面両側の部分では、表示パネルの取付穴および機器外観部品のネジ受け部の位置で、表示パネルおよび機器外観部品が固定保持され、表示パネルの外側で機器外観部品を固定保持する必要がない。
【００３２】
そのため、額縁形状の機器外観部品の画面両側の部分の幅を縮小することができ、同じ画面サイズおよび同じパネルサイズでも、ＴＶ受信機などの表示機器の外形寸法を小さくすることができ、表示機器の製造や運搬の過程での取り扱い上、好ましくなるとともに、表示機器のデザイン上も、機器外観部品の狭額縁化を実現することができる。
【発明の効果】
【００３３】
以上のように、第１の発明によれば、液晶パネルなどの表示パネルの各コーナー部において額縁形状の機器外観部品を表示パネルに取り付ける場合に、機器外観部品の各コーナー部の機械的強度を十分に高くすることができ、表示パネルと機器外観部品との取付強度を十分に高くすることができる。
【００３４】
第２の発明によれば、さらに、額縁形状の機器外観部品の画面両側の部分の幅を縮小することができ、同じ画面サイズおよび同じパネルサイズでも、ＴＶ受信機などの表示機器の外形寸法を小さくすることができ、表示機器の製造や運搬の過程での取り扱い上、好ましくなるとともに、表示機器のデザイン上も、機器外観部品の狭額縁化を実現することができる。
【発明を実施するための最良の形態】
【００３５】
［１．液晶パネルを用いたＴＶ受信機の例：図１〜図１１］
図１〜図１１に、この発明の一実施形態として、液晶パネルを用いたＴＶ受信機の例を示す。
【００３６】
（１−１．液晶パネルの構成：図１〜図３）
図１〜図３に、液晶パネルの一例を示す。図１は、液晶パネルの一例の概略を、各構成部品を分けて示した図であり、図２は、液晶パネルの全体および一部を、正面側から見た図であり、図３は、液晶パネルの右上コーナー部を、正面側から見た図である。
【００３７】
図１に示すように、液晶パネル１０は、概略的には、枠状のトップシャーシ２０、液晶パネル本体１１、枠状のミドルシャーシ３０、バックライトユニット１５、および板状のボトムシャーシ４０によって構成し、トップシャーシ２０の内側に液晶パネル本体１１およびミドルシャーシ３０を配置し、液晶パネル本体１１の背面側にバックライトユニット１５およびボトムシャーシ４０を配置して、後述のように一体に締結する。
【００３８】
トップシャーシ２０は、板金などによって形成し、ミドルシャーシ３０は、モールド成形品によって形成し、ボトムシャーシ４０は、板金などによって形成する。液晶パネル本体１１は、一対のガラス基板間に液晶を注入封止し、内部に液晶駆動回路を形成したものであり、バックライトユニット１５は、バックライト用の蛍光管と、これからの光を液晶パネル本体１１に均一に照射するための光学手段とからなるものである。
【００３９】
図１では省略したが、液晶パネル本体１１の、例えば上側周縁部には、液晶パネル本体１１の内部に形成された液晶駆動回路に接続されたフレキシブルコネクタを設け、ボトムシャーシ４０の背面には、このフレキシブルコネクタが接続される回路基板、バックライト駆動用の回路基板、およびＴＶ受信機用の回路基板を取り付け、これら回路基板の背面には、シールド板や放熱板などを取り付ける。
【００４０】
図２および図３に示すように、トップシャーシ２０は、前面板部２１と側板部２２とを一体に形成し、ミドルシャーシ３０も、前面板部３１と側板部３２とを一体に形成する。
【００４１】
さらに、図２および図３に示すように、トップシャーシ２０の各コーナー部は、画面縦方向および画面横方向に対して４５°傾き、画面に対して垂直な面で切断して一部除去したような形状の欠損部２３とし、ミドルシャーシ３０の各コーナー部は、正面側から見て背面側に凹ませて、その凹部の底に、取付穴３３ａが形成された取付板部３３を形成し、その取付板部３３を、トップシャーシ２０の欠損部２３から正面側に露呈させる。
【００４２】
また、図２に示すように、液晶パネル１０の画面左側および画面右側の周辺部の、画面縦方向において中央の部分では、同様に、トップシャーシ２０の前面板部２１および側板部２２を一部欠損させ、ミドルシャーシ３０を背面側に凹ませて、その凹部の底に、取付穴３５ａが形成された取付板部３５を形成し、その取付板部３５を、トップシャーシ２０の欠損部２５から正面側に露呈させる。
【００４３】
さらに、図２に示すように、液晶パネル１０の画面下側の周辺部の、画面横方向において例えば３箇所の部分では、同様に、トップシャーシ２０の前面板部２１および側板部２２を一部欠損させ、ミドルシャーシ３０を背面側に凹ませて、その凹部の底に、取付穴３７ａが形成された取付板部３７を形成し、その取付板部３７を、トップシャーシ２０の欠損部２７から正面側に露呈させる。
【００４４】
図２および図３に示す取付穴２９は、上記のようにトップシャーシ２０の内側に液晶パネル本体１１およびミドルシャーシ３０を配置し、液晶パネル本体１１の背面側にバックライトユニット１５およびボトムシャーシ４０を配置した状態で、トップシャーシ２０、ミドルシャーシ３０およびボトムシャーシ４０を締結し、液晶パネル１０を一体化するネジが挿入される穴である。この取付穴２９は、画面左側、画面右側、画面上側および画面下側の周辺部に、それぞれ複数形成する。
【００４５】
（１−２．ＴＶ受信機としての構成：図４〜図１１）
図４〜図１１に、この例のＴＶ受信機の外観および組立て構造を示す。
【００４６】
図４は、ＴＶ受信機の正面側から見た外観を示し、図５は、図４のＡ−Ａ線上の断面構造を示し、図６は、機器外観部品であるベズルの右上コーナー部を、背面側から見た図であり、図７は、ベズルを液晶パネルに取り付けた状態の、図４および図６のＢ−Ｂ線上の断面構造を示す。
【００４７】
図８は、ベズルを液晶パネルに取り付けた状態の画面下側の部分を、背面側から見た図であり、図９（Ａ）は、液晶パネルの図８のＥ−Ｅ線上の断面構造を示し、図９（Ｂ）は、液晶パネルの図８のＦ−Ｆ線上の断面構造を示し、図１０は、ベズルを液晶パネルに取り付けた状態の画面右側の部分を、背面側から見た図であり、図１１は、リアカバーを含むＴＶ受信機全体の、図４のＣ−Ｃ線上の断面構造を示す。
【００４８】
図４に示すように、この例のＴＶ受信機１は、スタンド３に取り付けられる。ただし、ＴＶ受信機としては、必ずしもスタンド型である必要はなく、壁掛け型などとして構成することもできる。
【００４９】
ベズル５０は、モールド成形によって、前面板部５１と側板部５２とを一体に形成し、その窓の部分に液晶パネル１０（液晶パネル本体１１）の前面１９の画面部分が臨むように、後述のように液晶パネル１０に取り付ける。
【００５０】
ベズル５０の画面下側の画面横方向に帯状に延びた部分５９の、ＴＶ受信機１の内部に設けられる左右のスピーカの配置位置に相当する位置には、多数の微細な放音用の穴が形成される。
【００５１】
ＴＶ受信機１に振動や衝撃が加えられたとき、ベズル５０が液晶パネル１０の前面１９に衝突して液晶パネル１０を損傷することがないように、図５に示すように、ベズル５０の前面板部５１の背面側端面５１ａと液晶パネル１０の前面１９との間には、距離ｄで表される隙間を形成する。
【００５２】
ただし、この発明では、後述のように、この距離ｄを小さくすることができ、ＴＶ受信機としての見映えを良くすることができる。
【００５３】
図６および図７に示すように、ベズル５０の前面板部５１の背面側には、各コーナー部に、ネジ受け部（取付用ボス）５３を形成する。
【００５４】
さらに、前面板部５１の背面側には、補強用のリブとして、ネジ受け部５３の側方にリブ５４ａを形成し、側板部５２の近傍に側板部５２に沿ってリブ５４ｂを形成するとともに、ネジ受け部５３とリブ５４ｂとの間に両者を連結するようにリブ５４ｃを形成する。
【００５５】
また、図８に示すように、ベズル５０の前面板部５１の背面側の、図２に示した液晶パネル１０の画面下側の周辺部の画面横方向において例えば３箇所の、トップシャーシ２０の欠損部２７およびミドルシャーシ３０の取付板部３７の部分と対向する部分にも、同様に、ネジ受け部（取付用ボス）５７および補強用のリブ５８ｃを形成する。
【００５６】
なお、液晶パネル１０の画面下側の周辺部は、上記の画面横方向において例えば３箇所の部分では、図２、図８および図９（Ａ）に示すように、トップシャーシ２０に欠損部２７を形成し、ミドルシャーシ３０を背面側に凹ませて、その凹部の底に、取付穴３７ａが形成された取付板部３７を形成し、ボトムシャーシ４０を、板部４０Ａ、この板部４０Ａに対して垂直に折り曲げられた板部４０Ｂおよび、この板部４０Ｂに対して垂直（板部４０Ａに対して平行）に折り曲げられた板部４０Ｃからなるものとし、上記３箇所以外の部分では、図８および図９（Ｂ）に示すように、トップシャーシ２０に欠損部を形成せず、ミドルシャーシ３０を背面側に凹ませず、ボトムシャーシ４０を、上記の板部４０Ａ，４０Ｂ，４０Ｃおよび、この板部４０Ｃに対して垂直（板部４０Ｂに対して平行）に折り曲げられた板部４０Ｄからなるものとする。
【００５７】
さらに、図１０に示すように、ベズル５０の前面板部５１の背面側の、図２に示した液晶パネル１０の画面左側および画面右側の周辺部の画面縦方向において中央の、トップシャーシ２０の欠損部２５およびミドルシャーシ３０の取付板部３５の部分と対向する部分にも、同様に、ネジ受け部（取付用ボス）５５および補強用のリブ５６ｃを形成する。
【００５８】
また、図１１に示すように、リアカバー７０には、液晶パネル１０の画面左側および画面右側の周辺部の画面縦方向において中央の部分と対向する部分に、凹部（正面側から見れば凸部）７５を形成し、この凹部７５の底部に取付穴７５ａを形成するとともに、リアカバー７０の左右の端部に係合部７９を形成する。
【００５９】
そして、図７に示すように、図２および図３に示した取付穴２９にネジが挿入締結されて一体化された液晶パネル１０の、ミドルシャーシ３０の取付穴３３ａが形成された取付板部３３、およびボトムシャーシ４０の取付穴４３ａが形成されたコーナー部４３を、ベズル５０のネジ受け部５３に重ね、背面側からネジ６３を、ボトムシャーシ４０の取付穴４３ａ、ミドルシャーシ３０の取付穴３３ａ、およびベズル５０のネジ受け部５３に挿入締結して、ベズル５０を液晶パネル１０に取り付ける。
【００６０】
また、画面下側の周辺部の画面横方向において例えば３箇所の部分では、図８に示すように、上記のように一体化された液晶パネル１０の、ミドルシャーシ３０の取付穴３７ａが形成された取付板部３７を、ベズル５０のネジ受け部５７に重ね、背面側からネジを、ミドルシャーシ３０の取付穴３７ａ、およびベズル５０のネジ受け部５７に挿入締結して、ベズル５０を液晶パネル１０に取り付ける。
【００６１】
さらに、画面左側および画面右側の周辺部の画面縦方向において中央の部分では、図１０および図１１に示すように、上記のように一体化された液晶パネル１０の、ミドルシャーシ３０の取付穴３５ａが形成された取付板部３５、およびボトムシャーシ４０の取付穴４５ａが形成された部分４５を、ベズル５０のネジ受け部５５に重ね、さらにリアカバー７０の凹部７５の取付穴７５ａが形成された底部を、ボトムシャーシ４０の部分４５に当て、リアカバー７０の係合部７９を、ベズル５０の側板部５２の内側に係合させた状態で、背面側からネジを、リアカバー７０の取付穴７５ａ、ボトムシャーシ４０の取付穴４５ａ、ミドルシャーシ３０の取付穴３５ａ、およびベズル５０のネジ受け部５５に挿入締結して、リアカバー７０、液晶パネル１０およびベズル５０を締結する。
【００６２】
（１−３．図１〜図１１に示した例の効果）
＜第１の効果＞
上記の例では、第１に、図６および図７に示したように、ベズル５０の各コーナー部では、補強用のリブ５４ｃを、ネジ受け部５３から側板部５２の近傍にかけて連続的に、かつ背の高いものとして形成することができる。
【００６３】
そのため、ベズル５０の各コーナー部の機械的強度を十分に高くすることができ、液晶パネル１０とベズル５０との取付強度を十分に高くすることができる。
【００６４】
＜第２の効果＞
第２に、図１１に示したように、画面左側および画面右側の周辺部では、ベズル５０のネジ受け部５５、液晶パネル１０の取付穴３５ａ，４５ａ、およびリアカバー７０の取付穴７５ａの位置で、ベズル５０、液晶パネル１０およびリアカバー７０が締結され、液晶パネル１０の外側でベズル５０を固定保持する必要がない。
【００６５】
そのため、図１１に示すようなベズル５０の横幅（画面左側の部分および画面右側の部分の横幅）Ｗ３を、図１７で上述したフロントマスク１５０の横幅（画面左側の部分および画面右側の部分の横幅）Ｗ４より縮小することができる。
【００６６】
すなわち、上記の例では、画面横方向における、ベズル５０の内側端縁５１ｅと液晶パネル本体１１の外側端縁との距離Ｗ１、およびベズル５０の内側端縁５１ｅと液晶パネル１０の外側端縁（トップシャーシ２０の外側端縁）との距離Ｗ２を、それぞれ図１７に示した距離Ｗ１および距離Ｗ２と同じにしたとき、ベズル５０の横幅Ｗ３を、図１７に示したフロントマスク１５０の横幅Ｗ４との関係で、Ｗ３＜Ｗ４とすることができる。
【００６７】
したがって、同じ画面サイズおよび同じパネルサイズでも、ＴＶ受信機１の横方向の外形寸法（図４のように正面側から見たＴＶ受信機１全体の横幅）を小さくすることができ、ＴＶ受信機１の製造や運搬の過程での取り扱い上、好ましくなるとともに、ＴＶ受信機１のデザイン上も、ベズル５０の狭額縁化を実現することができる。
【００６８】
＜第３の効果＞
第３に、画面下側の周辺部の画面横方向において例えば３箇所の部分では、図８に示したように、ミドルシャーシ３０の取付穴３７ａが形成された取付板部３７を、ベズル５０のネジ受け部５７に重ね、背面側からネジを、ミドルシャーシ３０の取付穴３７ａ、およびベズル５０のネジ受け部５７に挿入締結して、液晶パネル１０とベズル５０とを直接、ネジ止めし、画面左側および画面右側の周辺部の画面縦方向において中央の部分でも、同様に、液晶パネル１０とベズル５０とを直接、ネジ止めするため、図５に示したベズル５０の前面板部５１の背面側端面５１ａと液晶パネル１０の前面１９との間の距離ｄを小さくすることができ、ＴＶ受信機としての見映えを良くすることができる。
【００６９】
＜第４の効果＞
第４に、上記のように、液晶パネル１０およびベズル５０の、各コーナー部、画面左側および画面右側の周辺部、および画面下側の周辺部で、液晶パネル１０をベズル５０に直接、取り付けるため、従来の一例のように、特別の取付部品によって、液晶パネルと機器外観部品との間の隙間を埋めるように液晶パネルを機器外観部品に取り付ける必要がない。
【００７０】
これにつき、図１２に従来のＴＶ受信機の一例を示す。図１２は、液晶パネルを機器外観部品であるフロントマスクに取り付けた状態を背面側から見た図である。
【００７１】
図１２に示すように、従来、フロントマスク１５０と液晶パネル１１０との間の隙間に、取付金具などの取付部品１６１を挿入し、その取付部品１６１の一方の側をフロントマスク１５０の内側にネジ止めし、他方の側を折り曲げて液晶パネル１１０の背面のボトムシャーシ１４０の周縁部にネジ止めすることによって、フロントマスク１５０と液晶パネル１１０との間の隙間を埋めるように液晶パネル１１０をフロントマスク１５０に取り付ける方法が用いられている。
【００７２】
しかし、図１〜図１１に示して上述した例では、このような特別の取付部品や、これをベズル５０および液晶パネル１０にネジ止めする工程を必要としない。そのため、上述した例では、部品点数の削減およびＴＶ受信機の製造工程の簡略化を実現することができ、ＴＶ受信機のコストダウンを図ることができる。
【００７３】
［２．他の実施形態］
上述した実施形態は、表示パネルとして液晶パネルを用いる場合であるが、この発明は、表示パネルとして有機ＥＬ（エレクトロ・ルミネッセンス）ディスプレイやプラズマディスプレイなどを用いる場合にも適用することができる。ただし、有機ＥＬディスプレイやプラズマディスプレイは、自発光のディスプレイであるので、バックライトユニットは不要である。
【００７４】
また、この発明は、ＴＶ受信機に限らず、液晶パネルなどの表示パネルによって画像や文字などを表示する機器であれば、コンピュータ用の表示機器や、店舗や街頭などでの装飾用や広告宣伝用の表示機器などにも適用することができる。
【図面の簡単な説明】
【００７５】
【図１】液晶パネルの一例の概略を各構成部品を分けて示す図である。
【図２】この発明の液晶パネルの一例の全体および一部を正面側から見た図である。
【図３】図２の液晶パネルの右上コーナー部を示す図である。
【図４】この発明のＴＶ受信機の一例の外観を示す図である。
【図５】図４のＴＶ受信機のＡ−Ａ線上の断面構造を示す図である。
【図６】図４に示すベズルの右上コーナー部を背面側から見た図である。
【図７】図２〜図４に示す液晶パネルと図４〜図６に示すベズルとを締結した状態の図４および図６のＢ−Ｂ線上の断面構造を示す図である。
【図８】図４のＴＶ受信機の画面下側の部分を背面側から見た図である。
【図９】図２〜図４に示す液晶パネルの図８のＥ−Ｅ線上およびＦ−Ｆ線上の断面構造を示す図である。
【図１０】図４のＴＶ受信機の画面右側の部分を背面側から見た図である。
【図１１】リアカバーを含むＴＶ受信機全体の図４のＣ−Ｃ線上の断面構造を示す図である。
【図１２】従来の液晶パネルとフロントマスクとの取付構造の一例を示す図である。
【図１３】考えられる例のＴＶ受信機を示す図である。
【図１４】図１３に示すフロントマスクの右上コーナー部を背面側から見た図である。
【図１５】図１３に示す液晶パネルの右上コーナー部を示す図である。
【図１６】図１４のフロントマスクを図１５の液晶パネルに取り付けた状態の図１４および図１５のＸ−Ｘ線上の断面構造を示す図である。
【図１７】リアカバーを含むＴＶ受信機全体の図１３のＹ−Ｙ線上の断面構造を示す図である。
【符号の説明】
【００７６】
主要部については図中に全て記述したので、ここでは省略する。
【図１】
2008116523.tif 000003
【図２】
2008116523.tif 000004
【図３】
2008116523.tif 000005
【図４】
2008116523.tif 000006
【図５】
2008116523.tif 000007
【図６】
2008116523.tif 000008
【図７】
2008116523.tif 000009
【図８】
2008116523.tif 000010
【図９】
2008116523.tif 000011
【図１０】
2008116523.tif 000012
【図１１】
2008116523.tif 000013
【図１２】
2008116523.tif 000014
【図１３】
2008116523.tif 000015
【図１４】
2008116523.tif 000016
【図１５】
2008116523.tif 000017
【図１６】
2008116523.tif 000018
【図１７】
2008116523.tif 000019